(57)【要約】【課題】本発明は、メールなどの文字情報の送受信をすることができる携帯用電子機器に関し、特に表示される指定色によってメール発信者を識別することが可能な携帯用電子機器に関するものである。【解決手段】カラーＬＣＤを有効に利用し、受信したメールを閲覧する際に、メール発信者の名前の文字色、背景色あるいはメール文章の文字色を設定し、設定された色にて表示を行うことで識別力を向上させることのできる携帯用電子機器を提供することにある。【選択図】　　　　図２
2004032302.tif 000002
【特許請求の範囲】
【請求項１】
文字情報を受信し、表示することのできる携帯用電子機器において、
文字情報表示の際の背景色を前記文字情報の発信者毎に設定することにより、設定された背景色で前記文字情報を表示することを特徴とした携帯用電子機器。
【請求項２】
文字情報を受信し、表示することのできる携帯用電子機器において、
文字情報表示の際の文字色を前記文字情報の発信者毎に設定することにより、設定された文字色で前記文字情報を表示することを特徴とした携帯用電子機器。
【発明の詳細な説明】
【０００１】
【発明の属する技術分野】
本発明は、メールなどの文字情報の送受信をすることができる携帯用電子機器に関し、特に表示される指定色によってメール発信者を識別することが可能な携帯用電子機器に関するものである。
【０００２】
【従来の技術】
近年、メールの送受信ができる携帯電話においても、カラーＬＣＤ（Ｌｉｑｕｉｄ　Ｃｒｙｓｔａｌ　Ｄｉｓｐｌａｙ）タイプのものが販売され始めており、背景やバックライトも様々な色に設定できる。ところが、従来のカラーＬＣＤを備えた携帯電話では、自分の携帯電話機のアドレス帳内に発信者のアドレス等の情報が記憶されている場合には、メール発信者の名前等の情報は表示されるものの、メール発信者の名前の文字色、メール文章の文字色あるいは背景色は全て同色であり、印象付けたいメール発信者を色で識別することはできなかった。従来の携帯電話では、発信者を識別する方法はメールアドレスやそれを登録したメモリダイヤルでの表示のみであった。
【発明が解決しようとする課題】
【０００３】
本発明はこのような事情を解決するものであり、カラーＬＣＤを有効に利用し、受信したメールを閲覧する際に、メール発信者の名前の文字色、背景色あるいはメール文章の文字色を設定し、設定された色にて表示を行うことで識別力を向上させることのできる携帯用電子機器を提供することにある。
【課題を解決するための手段】
【０００４】
前記目的を達成するために、本発明の請求項１に記載された発明は、文字情報を受信し、表示することのできる携帯用電子機器において、文字情報表示の際の背景色を前記文字情報の発信者毎に設定することにより、設定された背景色で前記文字情報を表示することを特徴とする。
【０００５】
更に、請求項２記載の発明は、文字情報を受信し、表示することのできる携帯用電子機器において、文字情報表示の際の文字色を前記文字情報の発信者毎に設定することにより、設定された文字色で前記文字情報を表示することを特徴とする。
【発明の構成及び作用】
【０００６】
以下、本発明の一実施例の形態を携帯電話機を例に図面を用いて説明する。図１は、本発明による携帯電話機の概略構成を示すブロック図で、本発明の携帯電話機は基地局と無線信号の送受信を行うための無線部２と通話に伴う信号処理及び表示や鳴音等の各種制御を行う制御部１、ユーザが携帯電話を操作するための複数のキーより構成される操作部３、制御部１における処理プログラムや電話帳データを記憶する記憶部４、携帯電話機の情報を表示するための表示部５を有する。
【０００７】
まず、携帯電話機にメール（文字情報）発信者毎に文字色あるいは背景色を設定する処理について説明する。ここでは、携帯電話機のメモリ、例えば、携帯電話機の電話帳に登録されている「青木」さんの、名前の文字色、メール文章の背景色あるいは文字の色を設定する例を説明する。
まず、予め電話帳に登録されている「青木」さんの電話番号情報またはメールアドレス情報を選択し表示させる。ここで、「青木」さんから受信する文字情報の背景色を青色に設定したい場合には、背景色設定変更モードに移る。ここで、携帯電話機の表示部に「青木の背景色を設定変更しますか？」という旨のメッセージが表示され、「はい」と入力あるいは選択することにより、背景色を設定することとなる。
【０００８】
ここでは、例えば背景色を「青色」と設定することとする。「背景の色は？」の旨の表示とともに、選択可能な色例えば「赤、青、黄、緑・・」等が表示され、操作部にて選択を行い、色を設定する。
【０００９】
次に実際に「青木」さんからメールを受信した際の動作を説明する。まず、「青木」さんからメールが着信した際には、携帯電話機の制御部では、送信されてきた「青木」さんのメールアドレスが記憶部に記憶されているか検索する、検索の結果記憶されていれば、メールの背景色あるいは文字色が設定されているかを判断する。
【０００１０】
メールの背景色あるいは文字色が設定されていれば、設定された色で表示を行うと共に着信を報知する鳴音あるいは振動等、現在携帯電話機に設定されている報知動作を行う。検索の結果記憶されていない、あるいは記憶されていても背景色あるいは文字色が設定されていなければ、特に色を付けず、例えば背景は白色、文字色は黒色にて表示を行う。
【００１１】
本実施例では、メールアドレス１つづつに対して色を設定する動作を説明したが、例えば「仕事関係」、「家族」等のように、複数の人間のメールアドレス等の情報をまとめて１つのグループとして、考える方法があるが、このグループ内に登録されている複数の人のアドレスからの情報を表示する際の色について一斉に設定することももちろん可能である。
【００１２】
次に、前記動作を図２のフローチャートを用いて説明する。メールの着信（ステップ１）があった際に、メールの発信者のアドレスが携帯電話機の記憶部に記憶されているアドレス帳に存在するか否か検索する（ステップ２）。検索の結果、存在すれば更にメールの背景あるいは文字に色付けが設定されているか否か検索する（ステップ３）。色付けが設定されていれば、設定されている色にて表示を行う（ステップ４）。色が設定されていない、あるいは当該アドレスが記憶されていなければ、特に色は付けずに発信者情報或いはアドレス帳に記憶されている情報、或いは送信されてきた発信者のアドレス等の情報と共にメールの表示を行ない（ステップ５）、更にメール着信の旨である鳴音あるいは振動等の動作を行う。
【００１３】
アドレス帳にて表示色を設定している相手から送られたメールを閲覧する際は、設定した表示色にてメールを表示する。図３はその際の処理を示すフローチャートである。相手から送られたメールを閲覧する（ステップ１１）、閲覧するメールを選定する（ステップ１２）、表示色を設定したアドレスがメールの宛先と一致しているかを比較する（ステップ１３）、一致する場合、設定した指定色にて表示（ステップ１４）、一致しない場合は、発信者情報と共にメールを表示する。その際は、文字は黒、背景は白等の通常の色にて表示することとなる（ステップ１５）。
【００１４】
次に、メールを受信しその後に受信済みのメールの保存されているメールボックスから、再度受信メールを確認する際の処理について、説明する。まず、メールボックスを開き受信済みのメールを一件毎、あるいは複数件を一覧で表示させる。その際、各々のメール発信者情報に対応した発信者名文字色、メール文章文字色あるいは背景色は予めメモリ内に設定してあるため、この設定してある色に対応する色にて表示する。
以上は、メール情報を受信した際の動作について説明したが、次にメール情報を送信する際の動作について説明する。
【００１５】
まず、メールの文章を入力し、送信アドレスを指定するが、その際に送信アドレス情報に色付け表示が設定されていれば、当該メールを送信した後に、送信履歴情報を表示した際に色付けされて表示されるため、誰宛に送信したかを一目で確認できることとなる。また、特に重要な情報については、メール送信後に色情報を変更することももちろん可能である。
【００１６】
本発明では、発信元あるいは送信先の情報例えばメールアドレス、電話番号に色付け設定するので、この色付け設定されたメールアドレスあるいは電話番号に関する情報を表示する際には、設定された色にて表示を行うので、送信あるいは受信の履歴等を見れば、誰から情報を受信した、誰へ情報を送信したかが一目で確認することが出来る。
【００１７】
【発明の効果】以上詳細に説明したように、本発明を実施することにより、受信した文章情報あるいは送信した情報の中で印象付けたい相手を指定色により識別することができる。
【図面の簡単な説明】
【図１】本発明の携帯電話機の概略ブロック図
【図２】本発明の着信処理フロー例
【図３】本発明のメール閲覧時フロー例
【符号の説明】
１・・・制御部、２・・・無線部、３・・・操作部、４・・・記憶部、５・・・表示部
【図１】
2004032302.tif 000003
【図２】
2004032302.tif 000004
【図３】
2004032302.tif 000005